(57)【要約】【課題】室内機の要求負荷に見合った冷房性能を確保し、快適性に優れていると共に、過剰な能力を発揮させることなく省エネ性にも優れた空気調和機を提供する。【解決手段】室外機５と室内機９からなり、室外機５は、能力可変圧縮機１と、四方弁４と、室外熱交換器２と、膨張弁３とを有し、室内機９は、室内熱交換器６と、室内熱交換器６の温度を検出する室内熱交換器温度検出手段７と、吸込み温度を検出する室内吸込み温度検出手段８とを有し、冷房運転中に、室内熱交換器温度検出手段７で検出する温度が、室内吸込み温度検出手段８で検出された吸込み温度と、リモコン１０で設定された設定温度とから算出された目標蒸発温度となるように、能力可変圧縮機１の運転周波数を制御するもので、室内機９の要求負荷に見合った冷房性能を確保でき、快適性に優れ、また過剰な能力を発揮させることなく省エネ性にも優れた冷凍サイクルにすることができる。【選択図】図１
2009121787.tif 000002
【特許請求の範囲】
【請求項１】
室外機と、前記室外機に接続された室内機からなる空気調和機において、前記室外機は、能力可変圧縮機と、四方弁と、室外熱交換器と、膨張弁とを有し、前記室内機は、室内熱交換器と、前記室内熱交換器の温度を検出する室内熱交換器温度検出手段と、吸込み温度を検出する室内吸込み温度検出手段とを有し、冷房運転中に、前記室内吸込み温度検出手段で検出された吸込み温度と、リモコンで設定された設定温度とから目標蒸発温度を算出し、前記室内熱交換器温度検出手段で検出する温度が前記目標蒸発温度となるように、前記能力可変圧縮機の運転周波数を制御することを特徴とする空気調和機。
【請求項２】
リモコンの設定風量により、目標蒸発温度を上方補正することを特徴とする請求項１に記載の空気調和機。
【請求項３】
室外機に、低圧圧力を検出するセンサーを設け、目標蒸発温度の飽和圧力を算出し、前記低圧圧力センサーが検出する低圧圧力が、前記目標蒸発温度の飽和圧力となるように圧縮機の運転周波数を制御することを特徴とする請求項１に記載の空気調和機。
【請求項４】
リモコンの設定風量により、目標蒸発温度の飽和圧力を上方補正することを特徴とする請求項３に記載の空気調和機。
【発明の詳細な説明】
【技術分野】
【０００１】
本発明は、空気調和機に関するもので、特に、空気調和機の圧縮機の制御方法に関するものである。
【背景技術】
【０００２】
従来、この種の空気調和機の圧縮機能力制御は、室温とリモコンで設定された設定温度を制御入力とし、その差温に応じて圧縮機能力を決定するのが一般的であった（例えば、特許文献１参照）。
【特許文献１】特開昭５７−６７７３５号公報
【発明の開示】
【発明が解決しようとする課題】
【０００３】
しかしながら、上記特許文献１に開示されているような従来の空気調和機の構成においては、外気温度変化により、能力が空調負荷に対して過大または不足となることから、結果として、設定温度への未到達やサーモオフによる断続運転、室温の大幅変動など快適性の面で課題があった。
【０００４】
本発明は、上記従来の課題を解決するもので、室内機の要求負荷に見合った冷房性能を確保し、快適性に優れていると共に、過剰な能力を発揮させることなく省エネ性にも優れた空気調和機を提供することを目的とする。
【課題を解決するための手段】
【０００５】
前記従来の課題を解決するために、本発明の空気調和機は、室外機と、前記室外機に接続された室内機からなる空気調和機において、前記室外機は、能力可変圧縮機と、四方弁と、室外熱交換器と、膨張弁とを有し、前記室内機は、室内熱交換器と、前記室内熱交換器の温度を検出する室内熱交換器温度検出手段と、吸込み温度を検出する室内吸込み温度検出手段とを有し、冷房運転中に、前記室内吸込み温度検出手段で検出された吸込み温度と、リモコンで設定された設定温度とから目標蒸発温度を算出し、前記室内熱交換器温度検出手段で検出する温度が前記目標蒸発温度となるように、前記能力可変圧縮機の運転周波数を制御するもので、室内機の要求負荷に見合った冷房性能を確保できるため、快適性に優れていると共に、常に冷凍サイクルを監視していることから、過剰な能力を発揮させることなく省エネ性にも優れた冷凍サイクルにすることができる。
【発明の効果】
【０００６】
本発明の空気調和機は、室内機の要求負荷に見合った冷房性能を確保できるため、快適性に優れていると共に、常に冷凍サイクルを監視していることから、過剰な能力を発揮させることなく省エネ性にも優れた冷凍サイクルにすることができる。
【発明を実施するための最良の形態】
【０００７】
第１の発明は、室外機と、前記室外機に接続された室内機からなる空気調和機において、前記室外機は、能力可変圧縮機と、四方弁と、室外熱交換器と、膨張弁とを有し、前記室内機は、室内熱交換器と、前記室内熱交換器の温度を検出する室内熱交換器温度検出手段と、吸込み温度を検出する室内吸込み温度検出手段とを有し、冷房運転中に、前記室内吸込み温度検出手段で検出された吸込み温度と、リモコンで設定された設定温度とから目標蒸発温度を算出し、前記室内熱交換器温度検出手段で検出する温度が前記目標蒸発温度となるように、前記能力可変圧縮機の運転周波数を制御するもので、室内機の要求負荷に見合った冷房性能を確保できるため、快適性に優れていると共に、常に冷凍サイクルを監
視していることから、過剰な能力を発揮させることなく省エネ性にも優れた冷凍サイクルにすることができる。
【０００８】
第２の発明は、特に、第１の発明のリモコンの設定風量により、目標蒸発温度を上方補正するもので、過剰な能力を発揮させることなくより省エネ性に優れた冷凍サイクルにすることができる。
【０００９】
第３の発明は、特に、第１の発明の室外機に、低圧圧力を検出するセンサーを設け、目標蒸発温度の飽和圧力を算出し、前記低圧圧力センサーが検出する低圧圧力が、前記目標蒸発温度の飽和圧力となるように圧縮機の運転周波数を制御するもので、確実に室内機の要求負荷に見合った冷房性能を確保できるため、快適性に優れていると共に、常に冷凍サイクルを監視していることから、過剰な能力を発揮させることなく省エネ性にも優れた冷凍サイクルにすることができる。
【００１０】
第４の発明は、特に、第３の発明のリモコンの設定風量により、目標蒸発温度の飽和圧力を上方補正するもので、過剰な能力を発揮させることなくより省エネ性に優れた冷凍サイクルにすることができる。
【００１１】
以下、本発明の実施の形態について、図面を参照しながら説明する。なお、この実施の形態によって本発明が限定されるものではない。
【００１２】
（実施の形態１）
図１は、本発明の第１の実施の形態における空気調和機の構成模式図、図２は、同空気調和機のフローチャートである。
【００１３】
図１において、本実施の形態における空気調和機は、室外機５と、室外機５に接続された室内機９から構成され、室外機５は、能力可変圧縮機１と、室外熱交換器２と、膨張弁３と、四方弁４と、低圧圧力を検知する低圧圧力センサー１１を有し、室内機９は、室内熱交換器６と、室内熱交換器６の温度を検出する室内熱交換器温度検出手段７と、吸込み温度を検出する室内吸込み温度検出手段８とを有し、リモコン１０からの信号により冷房モードで動作した場合、能力可変圧縮機１から吐出した高圧ガス冷媒は、四方弁４を通過して、室外熱交換器２で熱交換により液化し、膨張弁３で減圧されて室内機９へ移動する。室内機９では、室内熱交換器６で熱交換されて低圧ガス化し、四方弁４を通過して圧縮機１に戻り、再び室外機５へ送られる。
【００１４】
次に、図２により、本実施の形態における空気調和機の動作、作用について説明する。
【００１５】
冷房運転開始（ＳＴＥＰ  ０）すると、室外機５は、室内機９の吸い込み温度ａの検出（ＳＴＥＰ  １）と、リモコン１０で設定した設定温度ｂを認識（ＳＴＥＰ  ２）する。室外機５で目標蒸発温度ＸＴを算出式（ＸＴ＝α（ａ−ｂ））から算出（ＳＴＥＰ  ３）し、室内機９から室内熱交換器温度Ｔを検出（ＳＴＥＰ  ４）する。
【００１６】
算出した目標蒸発温度ＸＴと、室内熱交換器温度Ｔとを比較判定し、同一である場合（ＳＴＥＰ  ５のＹｅｓ）は、能力可変圧縮機１の運転周波数を維持（ＳＴＥＰ  ６）し、室内機９の吸い込み温度ａの検出（ＳＴＥＰ  １）に移行する。また、目標蒸発温度ＸＴと室内熱交換器温度Ｔとを比較判定し、異なる場合（ＳＴＥＰ  ５のＮｏ）は大小判定を行い、目標蒸発温度ＸＴよりも室内熱交換器温度Ｔが大きい場合（ＳＴＥＰ  ７のＹｅｓ）は、周波数を上方補正（ＳＴＥＰ  ８）し、目標蒸発温度ＸＴよりも室内熱交換器温度Ｔが小さい場合（ＳＴＥＰ  ７のＮｏ）は、周波数を下降補正（ＳＴＥＰ  ９）し、室内機９の吸い込み温度ａの検出（ＳＴＥＰ  １）に移行する。
【００１７】
上記の様に、周波数補正することにより、冷房運転時における室内機９の要求負荷に見合った蒸発温度を維持することができるため、冷房性能を確保でき快適性に優れていると共に、常に冷凍サイクルを監視していることから、過剰な能力を発揮させることなく省エネ性にも優れた冷凍サイクルにすることができる。
【００１８】
（実施の形態２）
図３は、本発明の第２の実施の形態における空気調和機のフローチャートである。なお、上記第１の実施の形態における空気調和機と同一部分については、同じ符号を用いて説明を省略する。
【００１９】
図３により、本実施の形態における空気調和機の動作、作用について説明する。
【００２０】
冷房運転開始（ＳＴＥＰ  ０）すると、室外機５は、室内機９の吸い込み温度ａの検出（ＳＴＥＰ  １）と、リモコン１０で設定した設定温度ｂ及び設定風量ｃで検出（ＳＴＥＰ  １０）した値を基に、室外機５で、目標蒸発温度ＸＴを算出式（ＸＴ＝α×ｃ×（ａ−ｂ））から算出（ＳＴＥＰ  １１）し、室内機９から室内熱交換器温度Ｔを検出（ＳＴＥＰ  ４）する。
【００２１】
算出した目標蒸発温度ＸＴと室内熱交換器温度Ｔとを比較判定し、同一である場合（ＳＴＥＰ  ５のＹｅｓ）は、能力可変圧縮機１の運転周波数を維持（ＳＴＥＰ  ６）し、室内機９の吸い込み温度ａの検出（ＳＴＥＰ  １）に移行する。
【００２２】
また、目標蒸発温度ＸＴと室内熱交換器温度Ｔとを比較判定し、異なる場合（ＳＴＥＰ
５のＮｏ）は、大小判定し、目標蒸発温度ＸＴよりも室内熱交換器温度Ｔが大きい場合（ＳＴＥＰ  ７のＹｅｓ）は、周波数を上方補正（ＳＴＥＰ  ８）し、目標蒸発温度ＸＴよりも、室内熱交換器温度Ｔが小さい場合（ＳＴＥＰ  ７のＮｏ）は、周波数を下降補正（ＳＴＥＰ  ９）し、室内機９の吸い込み温度ａの検出（ＳＴＥＰ  １）に移行する。
【００２３】
以上のように本実施の形態によれば、冷房運転時における室内機風量が低い（要求負荷が小さい）場合においても、要求負荷に見合った蒸発温度を維持することができるため、過剰な能力を発揮させることなく省エネ性に優れた冷凍サイクルにすることができる。
【００２４】
（実施の形態３）
図４は、本発明の第３の実施の形態における空気調和機のフローチャートである。なお、上記第１、第２の実施の形態における空気調和機と同一部分については、同じ符号を用いて説明を省略する。
【００２５】
図４により、本実施の形態における空気調和機の動作、作用について説明する。
【００２６】
冷房運転開始（ＳＴＥＰ  ０）すると、室外機５は、室内機９の吸い込み温度ａの検出（ＳＴＥＰ  １）と、リモコン１０での設定温度ｂの検出（ＳＴＥＰ  ２）をする。
【００２７】
室外機５で、目標蒸発温度ＸＴを算出式（ＸＴ＝α（ａ−ｂ））から算出（ＳＴＥＰ  ３）し、目標蒸発温度ＸＴの飽和圧力ＸＰ（目標低圧圧力）へ変換（ＳＴＥＰ  １２）し、室外機５から、低圧圧力Ｐを検出（ＳＴＥＰ  １３）する。
【００２８】
目標低圧圧力ＸＰと低圧圧力Ｐとを比較判定し、同一である場合（ＳＴＥＰ  １４のＹｅｓ）は、能力可変圧縮機１の運転周波数を維持（ＳＴＥＰ  ６）し、室内機９の吸い込み温度ａの検出（ＳＴＥＰ  １）に移行する。
【００２９】
また、目標低圧圧力ＸＰと低圧圧力Ｐとを比較判定し、異なる場合（ＳＴＥＰ  １４のＮｏ）は、大小判定し、目標低圧圧力ＸＰよりも低圧圧力Ｐが大きい場合（ＳＴＥＰ  １５のＹｅｓ）は、能力可変圧縮機１の運転周波数を上方補正（ＳＴＥＰ  ８）し、目標低圧圧力ＸＰよりも低圧圧力Ｐが小さい場合（ＳＴＥＰ  １５のＮｏ）は、能力可変圧縮機１の運転周波数を下降補正（ＳＴＥＰ  ９）し、室内機９の吸い込み温度ａの検出（ＳＴＥＰ  １）に移行する。
【００３０】
以上のように、低圧圧力センサー１１を用いることより、冷房運転時における室内機９の要求負荷に見合った蒸発温度をより確実に維持することができるため冷房性能を確保できると共に、常に冷凍サイクルを監視していることから、過剰な能力を発揮させることなく省エネ性や快適性に優れた冷凍サイクルにすることができる。
【００３１】
（実施の形態４）
図５は、本発明の第４の実施の形態における空気調和機のフローチャートである。なお、上記第１〜３の実施の形態における空気調和機と同一部分については、同じ符号を用いて説明を省略する。
【００３２】
図５により、本実施の形態における空気調和機の動作、作用について説明する。
【００３３】
冷房運転開始（ＳＴＥＰ  ０）すると、室外機５は、室内機９の吸い込み温度ａの検出（ＳＴＥＰ  １）と、リモコン１０での設定温度ｂ及び設定風量ｃで検出（ＳＴＥＰ  １０）した値を基に、室外機５で、目標蒸発温度ＸＴを算出式（ＸＴ＝α×ｃ×（ａ−ｂ））から算出（ＳＴＥＰ  １１）し、目標蒸発温度ＸＴの飽和圧力ＸＰ（目標低圧圧力）へ変換（ＳＴＥＰ  １２）し、室外機５から低圧圧力Ｐを検出（ＳＴＥＰ  １３）する。
【００３４】
目標低圧圧力ＸＰと検出された低圧圧力Ｐとを比較判定し、同一である場合（ＳＴＥＰ
１４のＹｅｓ）は、周波数を維持（ＳＴＥＰ  ６）し、室内機９の吸い込み温度ａの検出（ＳＴＥＰ  １）に移行する。
【００３５】
また、目標低圧圧力ＸＰと低圧圧力Ｐとを比較判定し、異なる場合（ＳＴＥＰ  １４のＮｏ）は大小判定し、目標低圧圧力ＸＰよりも低圧圧力Ｐが大きい場合（ＳＴＥＰ  １５のＹｅｓ）は、周波数を上方補正（ＳＴＥＰ  ８）し、目標低圧圧力ＸＰよりも低圧圧力Ｐが小さい場合（ＳＴＥＰ  １５のＮｏ）は、周波数を下降補正（ＳＴＥＰ  ９）し室内機９の吸い込み温度ａの検出（ＳＴＥＰ  １）に移行する。
【００３６】
以上のように、本実施の形態によれば、低圧圧力センサー１１を用いることより、冷房運転時における室内機９の要求負荷に見合った蒸発温度をより確実に維持することができると共に、常に冷凍サイクルを監視していることから、冷房運転時における室内機９の風量が低い（要求負荷が小さい）場合においても、要求負荷に見合った蒸発温度をより確実に維持することができるため、過剰な能力を発揮させることなく省エネ性に優れた冷凍サイクルにすることができる。
【産業上の利用可能性】
【００３７】
以上のように、本発明にかかる空気調和機は、室内機の要求負荷に見合った能力制御ができるため、過剰な能力を発揮させることなく省エネ性に優れた冷凍サイクルにすることができるので多室型空気調和機や蓄熱式多室型空気調和機等にも適用できる。
【図面の簡単な説明】
【００３８】
【図１】本発明の実施の形態１における空気調和機の構成模式図
【図２】同空気調和機のフローチャート
【図３】本発明の実施の形態２における空気調和機のフローチャート
【図４】本発明の実施の形態３における空気調和機のフローチャート
【図５】本発明の実施の形態４における空気調和機のフローチャート
【符号の説明】
【００３９】
１  能力可変圧縮機
２  室外熱交換器
３  膨張弁
４  四方弁
５  室外機
６  室内熱交換器
７  室内熱交換器温度検出手段
８  室内吸込み温度検出手段
９  室内機
１０  リモコン
１１  低圧圧力センサー
【図１】
2009121787.tif 000003
【図２】
2009121787.tif 000004
【図３】
2009121787.tif 000005
【図４】
2009121787.tif 000006
【図５】
2009121787.tif 000007